(57)【要約】      （修正有）【課題】缶詰に貼り合わされた情報を伝達するための媒体に記載される情報の量を増やすことを可能にした情報を伝達するための媒体を提供する。【解決手段】情報を伝達するための媒体（以下、「媒体」という）は、接着させる物質を用いて着脱可能に貼り合わせることにより、缶詰１２の表面に積層された複数の情報を伝達するため媒体であることを特徴とする。そのため、最外層の媒体を剥がして、内の層の媒体に表示された情報を閲覧することが可能である。即ち、１枚の媒体のみを缶詰１２の表面に張り合わせた場合に比べて、媒体の総面積が大きくなるので、媒体に表示できる情報の量が多くなる。【選択図】図３
0003182642.tif 000002
【実用新案登録請求の範囲】
【請求項１】
接着させる物質を用いて着脱可能に貼り合わせることにより、缶詰の表面に積層された複数の情報を伝達するため媒体。
【請求項２】
前記缶詰の表面が側周面である請求項１に記載の情報を伝達するための媒体。
【請求項３】
前記情報にカレンダーが含まれる請求項１又は２記載の情報を伝達するための媒体。
【請求項４】
前記缶詰の内容物に賞味期限や耐用期間がある場合に、前記情報に併せて賞味期限や耐用期間を表示した請求項１乃至３の何れか１項に記載の情報を伝達するための媒体。
【考案の詳細な説明】
【技術分野】
【０００１】
本考案は、情報を伝達するための媒体に関する。
【背景技術】
【０００２】
従来から、カレンダーはノベルティーとして企業や個人によって配布されていた。しかしノベルティーであるカレンダーを受け取る企業や個人は、様々な企業や個人と付き合いを持っている。そのため、付き合いを持っている各企業や各個人から多くのカレンダーをもらうことがあった。その結果、使いきれなくなったカレンダーは使用されることなく処分されることもあった。
【０００３】
一方、缶詰もノベルティーとして企業や個人に配布されることがあった。食料品の缶詰は、非常食として被災時に重宝される。企業や各家庭では食料品の缶詰を非常食として備蓄していた。しかし、備蓄をしている間に缶詰の賞味期限を確認することを忘れ、賞味期限を徒過してしまうことがあった。その結果、缶詰は食されることなく処分されることもあった。
【０００４】
他方、非特許文献１には、円柱状の側周面に情報を表示した媒体を１枚貼付したパンの缶詰が開示されている。この缶詰はノベルティー、災害時の備蓄、販売等の用に供されるものである。情報には、カレンダーやイラスト、写真、被災時に必要とされる情報、政党のスローガン等のメッセージがある。
【先行技術文献】
【非特許文献】
【０００５】
【非特許文献１】株式会社ヨコエ、［online］、［平成２４年１２月２０日検索］、インターネット〈URL；http://yokokin.jp/design〉
【考案の概要】
【考案が解決しようとする課題】
【０００６】
しかし、非特許文献１に開示された缶詰の側周面に貼り合わされた情報を伝達するための媒体は１枚だけであった。そのため、情報を記載する面積は極めて限られたものであり、伝達できる情報の量には限りがあるという課題があった。
【０００７】
本考案は上記課題を解決するためになされたものであって、缶詰に貼り合わされた情報を伝達するための媒体に記載される情報の量を増やすことを可能にした情報を伝達するための媒体を提供することを解決すべき課題としている。
【課題を解決するための手段】
【０００８】
本考案に係る情報を伝達するための媒体（以下、「媒体」という）は、接着させる物質を用いて着脱可能に貼り合わせることにより、缶詰の表面に積層された複数の情報を伝達するため媒体であることを特徴とする。
【０００９】
また、本考案に係る媒体は、前記缶詰の表面が側周面であることを特徴とする。
【００１０】
また、本考案に係る媒体は、前記情報にカレンダーが含まれることを特徴とする。
【００１１】
更に、本考案に係る媒体は、前記缶詰の内容物に賞味期限や耐用期間がある場合に、前記情報に併せて賞味期限や耐用期間を表示していることを特徴とする。
【考案の効果】
【００１２】
本考案に係る媒体は、缶詰に接着させる物質を用いて着脱可能に貼り合わされている。そのため、最外層の媒体を剥がして、内の層の媒体に表示された情報を閲覧することが可能である。即ち、１枚の媒体のみを缶詰の表面に張り合わせた場合に比べて、媒体の総面積が大きくなるので、媒体に表示できる情報の量が多くなる。
【００１３】
また、本考案に係る媒体は接着させる物質を用いて着脱可能に貼り合わされていることから、剥がした媒体を再び缶詰に張り合わせることも可能であり、また壁面等に張っておくこともできる。そのため、剥がした媒体を各個人が見やすい場所に貼り付けることが可能であり、媒体に表示された情報の見落としを少なくできる。
【００１４】
また、本考案に係る媒体は缶詰に積層されている。缶詰は複数個を積み重ねて戴置することが可能である。そのため、取引先等から多くの缶詰をノベルティーとして受け取った場合でも、積み重ねることにより、スペースを取らずに戴置できる。その結果、缶詰や媒体が不必要とされることが少なくなり、使用されないまま処分されることも少なくなる。
【００１５】
また、本考案に係る媒体を缶詰の側周面に積層するのもよい。缶詰は通常底面を下にして戴置される。缶詰を戴置した状態では、底面に表示された情報を確認するために缶詰を持ち上げて底面を見る必要がある。また、缶詰を複数個積み重ねて戴置した場合、上段の缶詰に妨げられ、下段の缶詰の上面に表示された情報は確認できない。確認するためには上段の缶詰を取り去る必要がある。しかし、本考案に係る媒体を側周面に貼り合わせてあれば、缶詰を持ち上げることなく、表示された情報を確認することができる。そのため、持ち上げる手間が省ける。また、持ち上げることなく見るだけで情報を確認できるので、確認に煩わしさがなく、確認の頻度が上がり、情報の見落としを少なくすることができる。
【００１６】
また、本考案に係る媒体では、媒体に表示された情報がカレンダーであってもよい。上述のように媒体の総面積が大きく、表示できる情報の量が多いことから、積層された各媒体に数年分のカレンダーを表示することができる。１年で使用できなくなるカレンダーと異なり、数年にわたって使用が可能である。
【００１７】
また、本考案に係る媒体は、缶詰の内容物に賞味期限や耐用期間がある場合に、カレンダーに併せて賞味期限や耐用期間を表示してもよい。一般に、缶詰は賞味期限や耐用期間が数年と長いことが多い。缶詰の内容物に賞味期限や耐用期間がある場合に、数年分のカレンダーに併せて賞味期限や耐用期間が表示されていれば、数年先の賞味期限や耐用期間をカレンダーを見ることにより確認できる。賞味期限や耐用期間はたまにしか確認されない場合が多い。これに対してカレンダーはしばしば確認するものである。本考案に係る媒体はカレンダーに併せて賞味期限や耐用期間を表示することにより、通常の缶詰に比較して賞味期限や耐用期間の確認の頻度を高め、賞味期限や耐用期間の不注意による徒過を減少させることができ、食されないまま処分される缶詰を減少させることができる。
【図面の簡単な説明】
【００１８】
【図１】本考案の一実施形態における情報を伝達するための媒体である用紙１乃至５の上面図である。
【図２】本考案の一実施形態におけるカレンダー９の拡大図である。
【図３】本考案の一実施形態における用紙１を缶詰１２貼り付ける直前の状態を上方から見た斜視図である
【図４】本考案の一実施形態における缶詰１２を複数個積み重ねた状態を上方から見た斜視図である。
【図５】本考案の別の実施形態における缶詰１２の底面に用紙１４乃至１６を貼り合わせて積層する直前の状態を上方から見た斜視図である。
【考案を実施するための形態】
【００１９】
以下に、図面１乃至４を参照に、本考案を具体化した一実施形態を説明する。
【００２０】
初めに本考案の一実施形態に係る媒体とそれを貼り付ける缶詰１２の構成を説明する。本実施形態に係る媒体は用紙１乃至５である。図１に示すように、用紙１には自社の宣伝文句や商標、商品名、内容物の表示、使用方法等が表示されている。用紙２には最初の１年分のカレンダー６が表示されている。用紙３にはカレンダー６の次の１年分のカレンダー７が表示されている。用紙４にはカレンダー７の次の年のカレンダー８及び９が表示されている。図２に示されるカレンダー９は缶詰１２の賞味期限を示しており、賞味期限より後の日付がカレンダー８とは異なる色彩で表示されている。例えば、賞味期限が１２月２１日である場合、図２に示すように、１２月２２日以降は背景が灰色で表示される。用紙５には被災時に必要とされる情報、例えば、避難場所の地図や緊急場所の住所、電話番号等が表示されている。用紙１乃至５の大きさは縦が缶詰の高さとほぼ同じであり、横が缶詰の上面の円周より少し長い。用紙１乃至５の左右両端には第１糊代部１０と第２糊代部１１が形成されている。第１糊代部１０と第２糊代部１１には吸盤が配設されている。この吸盤は用紙１乃至５を破損することなく着脱可能なものであれば何でもよい。また、吸盤に限定されることはなく、用紙１乃至５を破損することなく着脱可能なものであれば接着剤等でもよい。
【００２１】
図３に示すように、本実施形態に用いられる缶詰１２は円柱状であり、上面には缶詰を開口するためのつまみ１３が配設されている。缶詰１２の中身は食料品であり、その賞味期限は３年である。
【００２２】
次に、図３を参照に、用紙１乃至５の缶詰１２への着脱の方法を説明する。用紙５が缶詰１２の径方向で最内層に位置し、用紙４、用紙３、用紙２の順に径方向で外方に積層され、用紙１が最外層となる。用紙１乃至５は缶詰１２の側周面に巻きつけられる。この際、用紙１乃至５の横の長さは缶詰１２の上面の円周より少し長いので、第１糊代部１０と第２糊代部１１が重なる。第１糊代部１０と第２糊代部１１にはそれぞれ吸盤が配設されている。そのため、第１糊代部１０と第２糊代部１１が貼り合わされ、用紙１乃至５は缶詰１２の側周面に固定されることになる。用紙１乃至５を缶詰１２から剥がす場合には、第１糊代部１０又は第２糊代部１１に爪等を引っ掛けて用紙１、用紙２、用紙３、用紙４、用紙５の順に剥がすことが可能である。
【００２３】
次の本実施形態に係る用紙１乃至５及び缶詰１２の使用方法について説明する。用紙１乃至５は、使用開始時には缶詰１２に貼り合わされ積層されており、用紙１が最外層に位置している。用紙１には自社の宣伝文句や商標、商品名、内容物の表示、使用方法等が表示されているので、ノベルティーとして企業や個人に配布することができる。缶詰を受け取った企業や個人は、用紙１を剥がし用紙２を表示させる。これにより、用紙２のカレンダー６を表示させる。カレンダー６の年が終了したら、用紙２を剥がし用紙３のカレンダー７を表示させ、カレンダー７の年が終了したら、用紙３を剥がし用紙４のカレンダー８及び９を表示させる。用紙４には色彩の異なるカレンダー８とカレンダー９が表示されており、カレンダー９は賞味期限より後の日を異なる色彩で表示しているので、カレンダー９を見れば一目で缶詰１２の内容物の賞味期限がわかる。また、被災時には用紙１乃至４をすべて剥がし、用紙５を表示させて被災時に必要な情報、例えば避難場所の地図や緊急場所の住所、電話番号等、を表示させることもできる。
【００２４】
以上、詳細に説明したように、用紙１乃至５は缶詰１２に吸盤を用いて着脱可能に貼り合わされている。そのため、最外層の用紙１を剥がして、内の層の用紙２乃至５に表示された情報を閲覧することが可能である。即ち、１枚の用紙のみを缶詰の表面に張り合わせた場合に比べて、用紙の総面積が大きくなる。よって、用紙に表示できる情報の量が多くなる。
【００２５】
また、用紙１乃至用紙５は吸盤を用いて着脱可能に貼り合わされていることから、剥がした用紙１乃至５を再び缶詰１２に張り合わせることも可能であり、また壁面等に張っておくこともできる。そのため、剥がした用紙１乃至５を各個人が見やすい場所に貼り付けることが可能であり、用紙１乃至５に表示された情報の見落としを少なくできる。
【００２６】
また、用紙１乃至用紙５は缶詰１２に積層されている。図４に示すように、缶詰１２は複数個を積み重ねて戴置することが可能である。そのため、取引先等から多くの缶詰をノベルティーとして受け取った場合でも、積み重ねることにより、スペースを取らずに戴置できる。その結果、用紙１乃至５や缶詰１２が不必要とされることが少なくなり、使用されないまま処分されることも少なくなる。
【００２７】
また、用紙１乃至用紙５は缶詰１２の側周面に積層されている。缶詰１２は通常底面を下にして戴置される。缶詰１２を戴置した状態では、底面に表示された情報を確認するために缶詰１２を持ち上げて底面を見る必要がある。また、図４に示すように、缶詰１２を複数個積み重ねて戴置した場合、上段の缶詰１２に妨げられ、下段の缶詰１２の上面に表示された情報は確認できない。確認するためには上段の缶詰１２を取り去る必要がある。しかし、用紙１乃至用紙５を側周面に貼り合わせてあれば、缶詰１２を持ち上げることなく、表示された情報を確認することができる。そのため、持ち上げる手間が省ける。また、持ち上げることなく見るだけで情報を確認できるので、確認に煩わしさがなく、確認の頻度が上がり、情報の見落としを少なくすることができる。
【００２８】
また、用紙２乃至５に表示された情報がカレンダーや被災時に必要とされる情報である。上述のように媒体の総面積が大きく、表示できる情報の量が多いことから、積層された用紙２乃至４に数年分のカレンダーを表示することができる。１年で使用できなくなるカレンダーと異なり、数年にわたって使用が可能である。用紙５に表示された被災時に必要な情報も、避難場所の地図や緊急場所の住所、電話番号等、より多くの情報を表示することが可能である。
【００２９】
また、用紙４は缶詰の賞味期限をカレンダー９に併せて表示している。一般に、缶詰の賞味期限は数年と長いことが多い。缶詰の内容物に賞味期限がある場合に、数年分のカレンダーに併せて賞味期限が表示されていれば、数年先の賞味期限をカレンダーを見ることにより確認できる。缶詰の底面に表示された賞味期限はたまにしか確認されない場合が多い。これに対して缶詰１２の側周面に表示されたカレンダーはしばしば確認するものである。用紙４にカレンダー９に併せて賞味期限を表示することにより、通常の缶詰に比較して賞味期限の確認の頻度を高め、賞味期限の不注意による徒過を減少させることができ、食されないまま処分される缶詰１２を減少させることができる。
【００３０】
以上において、本考案を実施形態に即して説明したが、本考案は本実施形態に限定されるものではなく、その趣旨を逸脱しない範囲で適宜変更可能である。
【００３１】
例えば、本実施形態では用紙の枚数は５枚であるが、これに限定されるものではなく、
用紙の枚数は複数枚であれば何枚でもよい。
【００３２】
また、実施形態では缶詰は円柱状であるが、これに限定されるものではなく、三角柱、四角柱、多角柱等種々の形態の缶詰が採用可能である。
【００３３】
また、本実施形態では缶詰の賞味期限は３年であるが、これに限定されるものではなく、缶詰の賞味期限は何年でもよい。
【００３４】
また、本実施形態では第１糊代部１０と第２糊代部１１を吸盤により貼り合わせたが、これに限定されるものではなく、用紙が着脱可能な接着剤等を用いてもよい。この際、吸盤や接着剤等の接着させる物質は、用紙を破損することなく着脱可能な範囲のものである必要がある。
【００３５】
また、本実施形態では第１糊代部１０と第２糊代部１１にのみ接着させる物質を塗布するが、これに限定されるものではなく、用紙１乃至５の裏面全体に接着させる物質を塗布してもよい。
【００３６】
また、本実施形態では媒体は用紙としたが、これに限定されるものではなく、プラスチックフィルム、金属薄板等、種々の材料が採用可能である。
【００３７】
また、本考案に係る別の実施形態では、図５に示すように缶詰１２の底面や上面の形状よりわずかに小さい用紙１４乃至１６の裏面に吸盤等を配設し、用紙１４、用紙１５、用紙１６の順に缶詰１２の底面や上面に用紙１４乃至１６を破損することなく着脱可能に貼り合わせて積層するのもよい。用紙１４乃至用紙１６を缶詰１２の上面に貼り合わせて積層する場合、つまみ１３に被さる部分を切り落としておくのもよい。
【産業上の利用可能性】
【００３８】
本考案はノベルティー、災害時の備蓄、市販等の用に供する缶詰に利用可能である。
【符号の説明】
【００３９】
１…用紙
２…用紙
３…用紙
４…用紙
５…用紙
６…カレンダー
７…カレンダー
８…カレンダー
９…カレンダー
１０…第１糊代部
１１…第２糊代部
１２…缶詰
１３…つまみ
１４…用紙
１５…用紙
１６…用紙
【図１】
0003182642.tif 000003
【図２】
0003182642.tif 000004
【図３】
0003182642.tif 000005
【図４】
0003182642.tif 000006
【図５】
0003182642.tif 000007